【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】  オーディオ信号源と、
前記オーディオ信号源に結合され、前記オーディオ信号を処理して処理されたオーディオ信号を生成する信号処理回路と、
前記信号処理回路に結合され、部屋に配置されるように構成および配列され、前記処理されたオーディオ信号に応答して音波を放射する複数のスピーカユニットと、
前記音波を受信し、該音波を電気信号に変換するマイクロホンユニットと、
前記電気信号を受信して周波数応答信号を供給する音響測定回路と、
前記音響測定回路に結合され、前記スピーカユニットの特性データ信号を格納し、さらに前記周波数応答信号を格納するメモリと、
前記メモリに結合され、前記周波数応答信号および前記複数のスピーカユニットのすべてよりも少ないスピーカユニットのみの前記特性データ信号に応答して、各スピーカユニットに対する個別の等化パターン信号を供給する等化計算回路と、
を備えるオーディオシステム。
【請求項２】  請求項１に記載のオーディオシステムにおいて、前記マイクロホンユニットと前記音響測定回路の間の結合路は無線部分のない導電線からなる、オーディオシステム。
【請求項３】  請求項１に記載のオーディオシステムにおいて、前記マイクロホンユニットは複数のマイクロホンを含む、オーディオシステム。
【請求項４】  請求項１に記載のオーディオシステムにおいて、前記等化計算回路は、周波数に関して実質的に連続した等化パターンを決定するように構成およびアレンジされる、オーディオシステム。
【請求項５】  請求項１に記載のオーディオシステムにおいて、前記等化計算回路は、ソフトウェアプログラムを実行するマイクロプロセッサを備える、オーディオシステム。
【請求項６】  請求項５に記載のオーディオシステムにおいて、前記ソフトウェアプログラムは、前記ユーザに対する可聴指示を前記複数のスピーカユニットの少なくとも１つによって放射させるコードを含む、オーディオシステム。
【請求項７】  請求項１に記載のオーディオシステムにおいて、
前記マイクロホンユニットは、前記部屋で複数の位置に移動し、前記複数の位置のそれぞれで受信した前記音波を変換して、それに対応する複数セットの周波数応答測定信号を生成するように適応しており、
前記メモリはさらに、前記複数セットの周波数応答測定信号を格納するものであり、
前記等化計算回路はさらに、前記複数セットの周波数応答測定信号に応答して等化パターン信号を供給するものである、
オーディオシステム。
【請求項８】  請求項７に記載のオーディオシステムにおいて、前記等化パターン信号は前記周波数応答測定値のエネルギー平均を表す、オーディオシステム。
【請求項９】  請求項１に記載のオーディオシステムにおいて、前記信号処理回路は低レイテンシフィルタを備える、オーディオシステム。
【請求項１０】  請求項１に記載のオーディオシステムにおいて、前記複数のスピーカユニットの少なくとも１つは、複数の音響ドライバユニットを備え、前記メモリはさらに、前記音響ドライバユニットを表す特性データ信号を格納する、オーディオシステム。
【請求項１１】  請求項１に記載のオーディオシステムにおいて、前記等化計算回路は、前記オーディオシステムの動作パラメータを調整するように構成およびアレンジされる、オーディオシステム。
【請求項１２】  請求項１１に記載のオーディオシステムにおいて、前記動作パラメータは、音量設定および音質設定のうちの少なくとも１つを含む、オーディオシステム。
【請求項１３】  請求項１１に記載のオーディオシステムにおいて、前記等化計算回路は、前記動作パラメータを排他的に制御するとともに、ユーザによる動作パラメータの制御を無効化するように構成およびアレンジされる、オーディオシステム。
【請求項１４】  オーディオ信号源と、
前記オーディオ信号源に結合され、前記オーディオ信号を処理して処理されたオーディオ信号を生成する信号処理回路と、
前記信号処理回路に結合され、部屋に配置されるように構成および配列され、前記処理されたオーディオ信号に応答して音波を放射する複数のスピーカユニットと、
マイクロホンを含み、前記音波を受信して複数の位置での各スピーカユニットの周波数応答を表す信号を供給する音響測定回路と、
前記音響測定回路に結合され、前記複数の位置での周波数応答を表す前記信号を格納するメモリと、
前記複数の位置での周波数応答を表す前記信号に応答して、前記複数のスピーカユニットのすべてよりも少ないスピーカユニットのみの周波数応答に基づいて各スピーカユニットに対する個別の等化パターン信号を供給する等化計算回路と、
を備えるオーディオシステム。
【請求項１５】  請求項１４に記載のオーディオシステムにおいて、前記等化計算回路は、前記複数の位置での周波数応答を表す前記信号を、前記スピーカユニットの各々に個別に供給するように構成およびアレンジされる、オーディオシステム。
【請求項１６】  請求項１４に記載のオーディオシステムにおいて、前記メモリはさらに、前記スピーカユニットを表す特性データ信号を格納し、
前記等化計算回路はさらに、前記複数のスピーカユニットを表す前記特性データ信号に応答して前記等化パターン信号を供給する、
オーディオシステム。
【請求項１７】  請求項１４に記載のオーディオシステムにおいて、前記信号処理回路と前記複数のスピーカユニットを結合するクロスオーバ回路をさらに備え、前記メモリはさらに、前記クロスオーバ回路を表す特性データ信号を格納し、前記等化計算回路はさらに、前記クロスオーバ回路を表す特性データ信号に応答して等化パターン信号を供給する、オーディオシステム。
【請求項１８】  オーディオシステムの等化パターンを発生する等化システムであって、オーディオ信号源と、該オーディオ信号源に結合され、前記オーディオ信号を処理して処理されたオーディオ信号を生成する信号処理回路と、前記信号処理回路に結合され、部屋に配置されるように構成および配列され、前記処理されたオーディオ信号に応答して音波を放射する複数のスピーカユニットとを備える、等化システムにおいて、
マイクロホンユニットを含み、前記音波を受信し変換して複数の位置での各スピーカユニットの周波数応答を表す信号を供給する音響測定回路と、
前記音響測定回路に結合され、前記複数の位置での周波数応答を表す前記信号を格納するメモリと、
複数の位置での周波数応答を表す前記信号に応答して、前記複数のスピーカユニットのすべてよりも少ないスピーカユニットのみの周波数応答に基づいて各スピーカユニットに対する個別の等化パターン信号を供給する等化計算回路と、
を備える等化システム。
【請求項１９】  請求項１８に記載の等化システムにおいて、前記オーディオシステムは、前記信号処理回路と前記複数のスピーカユニットを結合するクロスオーバ回路を備え、前記メモリはさらに、前記クロスオーバ回路を表す特性データ信号を格納し、前記等化計算回路はさらに、前記クロスオーバ回路の特性データを表す信号に応答して等化パターン信号を供給する、等化システム。
【請求項２０】  請求項１８に記載の等化システムにおいて、前記等化計算回路は、周波数に関して実質的に連続した等化パターン信号を供給するように構成およびアレンジされる、等化システム。
【請求項２１】  請求項１９に記載の等化システムにおいて、前記等化計算回路は、ソフトウェアプログラムを実行するマイクロプロセッサを備える、等化システム。
【請求項２２】  請求項１９に記載の等化システムにおいて、前記等化パターン信号は、前記複数の位置での前記周波数応答のエネルギー平均を表す、等化システム。
【請求項２３】  デジタル符号化した情報信号を格納する記憶媒体と、
前記記憶媒体に結合され、オーディオ信号を生成する信号処理回路と、
前記信号処理回路に結合され、部屋に配置されるように構成および配列され、前記オーディオ信号に応答して音波を放射する複数のスピーカユニットと、
前記音波を受信し、該音波を電気信号に変換するマイクロホンユニットと、
前記記憶媒体および前記マイクロホンと電子的に結合され、前記電気信号に応答して等化パターン信号を供給するマイクロプロセッサと、を備え、
前記デジタル符号化した情報信号は、ユーザに対する指示を表すデジタル符号化した信号を含み、
前記デジタル符号化した情報信号は、等化パターン信号を生成する符号化したコンピュータプログラムをさらに含み、
前記コンピュータプログラムは、前記オーディオシステムのパラメータを調整する、
オーディオシステム。
【請求項２４】  請求項２３に記載のオーディオシステムにおいて、前記デジタル符号化した情報信号は、前記ユーザに対する可聴指示を表すオーディオ信号を表す、オーディオシステム。
【請求項２５】  請求項２３に記載のオーディオシステムにおいて、ビデオ表示装置をさらに備え、前記デジタル符号化した情報信号は、前記ユーザに対する指示を表すビデオ信号を表し、前記指示は、前記ビデオ表示装置上に表示可能である、オーディオシステム。
【請求項２６】  ２つ以上のスピーカと少なくとも１つのマイクロホンとを有するオーディオシステムに対する等化パターン信号を生成するプロセスであって、
開始ステップを実行し、
１つまたは複数の所望の聴取位置に順次マイクロホンを配置して、各位置において１つまたは１セットのスピーカからテスト信号を放射し、
各スピーカまたはスピーカセットの各々についての周波数応答を測定して、スピーカユニットのすべてよりも少ないスピーカのみの周波数応答に基づいて、スピーカまたはスピーカセットの各々に対する等化パターンを生成する、
ことを含むプロセス。
【請求項２７】  請求項２６に記載のプロセスにおいて、各測定が有効であるかをチェックし、測定が無効である場合、ユーザに補正を行うよう指示するステップをさらに含むプロセス。
【請求項２８】  請求項２６に記載のプロセスにおいて、前記開始ステップは、前記オーディオシステムによって前記マイクロホンをテストして、該マイクロホンが周波数範囲において機能しているかを判定し、該周波数範囲において機能していない場合には、ユーザに対してメッセージを発生することを含む、プロセス。
【請求項２９】  請求項２６に記載のプロセスにおいて、前記オーディオシステムは第２のマイクロホンを備え、前記開始ステップは、さらに、
前記第２のマイクロホンと前記第１のマイクロホンとが所定の許容範囲内で整合するかどうかをテストし、
前記第１のマイクロホンと前記第２のマイクロホンとが前記所定の許容範囲内で整合しない場合、前記第１のマイクロホンと第２のマイクロホンとが整合しないというメッセージを前記ユーザに対して生成する、
ことをさらに含むプロセス。
【請求項３０】  請求項２６〜２９のいずれかに記載のプロセスにおいて、前記周波数応答の測定が、
前記オーディオシステムにより前記聴取領域における信号対雑音比を測定し、
前記信号対雑音比が所定の閾値比以下である場合、該信号対雑音比を上昇させる、
ことを含むプロセス。
【請求項３１】  請求項３０に記載のオーディオシステムにおける等化パターンの生成プロセスにおいて、前記信号対雑音比の上昇は、ユーザに前記周囲雑音を低減させるよう指示するステップを含むプロセス。
【請求項３２】  請求項３０に記載のオーディオシステムにおける等化パターンの生成プロセスにおいて、前記信号対雑音比の上昇は、放射する前記音響の前記振幅を増大させるステップを含むプロセス。
【請求項３３】  請求項３０に記載のオーディオシステムにおける等化パターンの生成プロセスにおいて、
前記マイクロホンにより前記音波を受信し、
受信した前記音波の振幅を測定して、該振幅が所定の振幅範囲内であるかを判定し、
前記振幅が前記所定の振幅範囲内でない場合、振幅が所定の範囲内となるように振幅を変更する、
ことを含むプロセス。
【請求項３４】  請求項３３に記載のオーディオシステムにおける等化パターンの生成プロセスにおいて、前記振幅は、等化計算回路によって増大することができ、ユーザによっては増大することができない、プロセス。
【請求項３５】  請求項２８に記載のプロセスにおいて、前記スピーカユニットを介して前記メッセージをユーザに対して放射することをさらに含むプロセス。
【請求項３６】  請求項３５に記載のプロセスにおいて、前記メッセージは、ユーザに異なる位置へ移動するよう指示するプロセス。
【請求項３７】  請求項２６〜３６のいずれかに記載のプロセスにおいて、前記開始ステップはオーディオシステムのユーザによって実行されるプロセス。
【請求項３８】  請求項３７に記載のプロセスにおいて、前記開始ステップは、コンパクトディスクをコンパクトディスクプレーヤに入れることを含むプロセス。
【請求項３９】  請求項３１に記載のプロセスにおいて、前記開始ステップは前記オーディオシステムを再構成させるプロセス。
【請求項４０】  請求項２６〜３９のいずれかに記載のプロセスにおいて、
配置するステップの後に、ユーザにより、該ユーザが意図した聴取位置にいることを示し、
オーディオシステムにより次のステップを選択し、該次のステップは、複数の可能性のある次のステップから選択される、
プロセス。
【請求項４１】  スピーカ装置を有するオーディオシステムの等化パターンを生成するプロセスであって、
前記スピーカ装置の動作限界をメモリに格納し、
請求項２６〜４０のプロセスを使用して、等化パターン信号を生成し、
前記等化パターン信号を前記動作限界と比較して、前記等化パターン信号の実行により動作限界が超過されるかを判定し、
前記実行により前記限界が超過される場合、前記等化パターン信号を修正する、
ことを含むプロセス。